(57)【要約】【課題】導光部材の正面への出射光範囲を広く拡散させるとともに、ＬＥＤ光源の点光りを極力抑制して演出効果を高めるようにした導光部材を提供する。【解決手段】ＬＥＤ９１からの光を受光して内部に入射させる受光領域８１と、その外径側に略同心円状に交互に連続した複数の突条及び溝から成る凹凸反射面８４Ａを備えた拡散内反射領域８７と、受光領域８１と対向した対向出射領域８２と、その外径側に延在し且つ拡散内反射領域８７からの反射光を前面から出射させる拡散光出射領域８５と、を備え、出射光の一部を受光領域８１の中心部を透過させて対向出射領域８２の中心部から出射する第１光路と、受光領域からの出射光を拡散内反射領域８７にて拡散反射させて拡散光出射領域８５から出射する他の光路と、を備え、第１光路は、ＬＥＤ側へ膨出した受光領域８１の中心部と、ＬＥＤ側へ凹陥した対向出射領域の曲面凹状の中心部と、により形成される。【選択図】図１１
2011240030.tif 000002
【特許請求の範囲】
【請求項１】
ＬＥＤと対向して離間配置され該ＬＥＤからの出射光を受光して内部に入射させる受光領域と、前記受光領域の外径側に略同心円状に交互に連続した複数の突条及び溝から成る凹凸反射面を備えた拡散内反射領域と、前記受光領域と対向配置された対向出射領域と、該対向出射領域の外径側に延在し且つ前記拡散内反射領域からの反射光を前面から出射させる拡散光出射領域と、を備え、
前記出射光の中心部の光を略無反射で前記受光領域の中心部を透過させて前記対向出射領域の中心部から出射させる第１の光路と、前記受光領域から入射した前記出射光の一部を前記拡散内反射領域にて拡散反射させて前記拡散光出射領域から出射させる他の光路と、を備え、
前記第１の光路は、前記ＬＥＤ側へ曲面状に膨出した前記受光領域の中心部と、前記ＬＥＤ側へ凹陥した前記対向出射領域の曲面凹状の中心部と、により形成され、前記対向出射領域の曲面凹状の中心部にて前記出射光を拡散して出射させることを特徴とする請求項１に記載の導光体。
【請求項２】
前記他の光路は、前記受光領域から入射した前記出射光の一部を前記拡散内反射領域の一部で一次内反射させて前記第１の光路よりも外径側の前記拡散光出射領域から出射させる第２の光路と、前記受光領域から入射した前記出射光の一部を前記対向出射領域の一部で一次内反射させてから前記拡散光出射領域で二次内反射させ、更に前記拡散内反射領域にて三次内反射させて前記第２の光路よりも外径側の前記拡散光出射領域から出射させる第３の光路と、から成ることを特徴とする請求項１に記載の導光体。
【請求項３】
前記受光領域は、前記ＬＥＤ側へ膨出した膨出部と、該膨出部の外径側に位置し、且つ該膨出部を包囲するように突設された入射側壁と、を備え、
前記第２の光路は、前記入射側壁から入射した光を反射する第１の一次内反射面と、前記対向出射領域よりも外径側に位置する前記拡散光出射領域と、により形成されることを特徴とする請求項２に記載の導光体。
【請求項４】
前記第３の光路は、前記膨出部の中心部の外径側に位置する湾曲入射面と、前記対向出射領域の中心部よりも外径側に位置する湾曲した第２の一次内反射面と、前記拡散光出射領域に形成された二次内反射面と、前記凹凸反射面を構成する前記各突条の同じ側面に夫々形成された三次内反射面と、により形成されることを特徴とする請求項２又は３に記載の導光体。
【請求項５】
前記拡散内反射領域を構成する前記凹凸面は、任意の周方向ピッチにて段差状に不連続に形成されていることを特徴とする請求項１乃至４の何れか一項に記載の導光体。
【請求項６】
前記各突条の前記三次内反射面と対向する他の側面は非内反射面であり、前記ＬＥＤからの発光時に該非内反射面と対面する拡散光出射領域は陰影となることを特徴とする請求項４又は５に記載の導光体。
【請求項７】
複数のＬＥＤを表面に実装された基板と、請求項１乃至６の何れか一項に記載の導光体と、前記導光体に対向して該導光体からの出射光を透過させる第１のアウターレンズ及び第２のアウターレンズを備え、前記第１及び第２のアウターレンズは、前記導光体と対向する面に夫々前記導光体から入射する光を屈折させる突条を備えることを特徴とするイルミネーションユニット。
【請求項８】
請求項７に記載のイルミネーションユニットにおいて、前記第１及び第２のアウターレンズが夫々備える前記凸部は、互いに交差するように設けられていることを特徴とするイルミネーションユニット。
【請求項９】
請求項７又は８に記載のイルミネーションユニットを備えたことを特徴とする遊技盤ユニット。
【請求項１０】
請求項９に記載の遊技盤ユニットを備えたことを特徴とするパチンコ遊技機。
【発明の詳細な説明】
【技術分野】
【０００１】
本発明はパチンコ遊技機等の遊技機に装備されて電飾機能を発揮する導光部材の改良に関する。
【背景技術】
【０００２】
パチンコ機、アレンジボール等の遊技機においては、従来から、単なる照明効果のみならず、遊技盤上における遊技状態の変化等の状況変化を視覚的に表現、報知したり、遊技進行上での電飾効果を図る等の目的から、盤面、盤面部品、その他任意の部位にＬＥＤランプやフィラメント式ランプ等の光源を配置している。
また、人物、動物、アニメのキャラクタ等を象った盤面部品にチップＬＥＤを搭載し、遊技の進行に応じてＬＥＤを発光させることによって遊技進行上特徴的な演出効果を発揮させるようにした電飾装置も知られている。
ＬＥＤは発光面積が小さいいわゆる点光源であるため、広い照明面積を得るためには、盤面部品に搭載するＬＥＤ数を増やしたり、導光部材、拡散フィルム等を用いて光を拡散する必要がある。しかし、ＬＥＤ数の増大は設置スペース、重量制限などから限界があり、また導光部材等を用いて光を拡散するに際しては厚さ寸法が増大するという問題が発生する。
例えば特許文献１には、点光源としての光源ランプ（トップビュータイプＬＥＤ）の前面側に配置された透光性のカバー部材の面に、透光性及び光拡散性を有したフィルムを添設すると共に、カバー部材の前方にレンズを配置することにより、点光源からの光を拡散させるようにした発光飾り装置が開示されている。
しかし、正面から見た場合にレンズの中心部に位置するトップビュータイプＬＥＤからの発光が強く視認される点光りを解消することは依然として困難である。また、このようなトップビュータイプＬＥＤからの光を拡散させるためには、ＬＥＤとカバー部材の内側面との間に十分なギャップを確保する必要があって全体厚みが増大するため、薄型化を求められる電飾装置に適用することが難しかった。
【先行技術文献】
【特許文献】
【０００３】
【特許文献１】特開２００５−２０４７９７公報
【発明の概要】
【発明が解決しようとする課題】
【０００４】
このようにチップＬＥＤを用いた電飾装置において、発光光量を増大し、発光範囲を拡大するためには、使用するＬＥＤの個数を増大することが最も容易な対策ではあるが、電飾装置の重量増、コストアップをもたらすため得策ではない。つまり、電飾装置に使用可能なＬＥＤの個数は、レイアウト上、制約されることが多い。
チップＬＥＤは点光源であるため、ＬＥＤからの出射光のビーム径を大幅に上回る面積を有した導光部材に出射した場合、導光部材よる拡散作用だけでは光を均一、且つ広い範囲に亘って拡散することが困難であり、前方から導光部材を視認した際にＬＥＤ近傍の輝度が高く、ＬＥＤから遠くなるほど輝度が低くなる光量ムラ、輝度ムラが認識され易い。
また、チップＬＥＤからの光を拡散させるためには、ＬＥＤと導光部材の内側面との間に十分なギャップを確保する必要があり全体厚みが増大するため、薄型化を求められる電飾装置に適用することが難しかった。
本発明は上記に鑑みてなされたものであり、点光りするという欠点を有したＬＥＤを用いながらも、導光部材の正面への出射光範囲を広く拡散させるとともに、点光りを極力抑制して演出効果を高めるようにした導光部材を提供することを目的としている。
また、本発明はＬＥＤと導光部材との間のギャップを可能な限り減縮することにより、薄型化を達成することを目的としている。
【課題を解決するための手段】
【０００５】
上記の課題を解決するために、請求項１の発明は、ＬＥＤと対向して離間配置され該ＬＥＤからの出射光を受光して内部に入射させる受光領域と、前記受光領域の外径側に略同心円状に交互に連続した複数の突条及び溝から成る凹凸反射面を備えた拡散内反射領域と、前記受光領域と対向配置された対向出射領域と、該対向出射領域の外径側に延在し且つ前記拡散内反射領域からの反射光を前面から出射させる拡散光出射領域と、を備え、前記出射光の中心部の光を略無反射で前記受光領域の中心部を透過させて前記対向出射領域の中心部から出射させる第１の光路と、前記受光領域から入射した前記出射光の一部を前記拡散内反射領域にて拡散反射させて前記拡散光出射領域から出射させる他の光路と、を備え、前記第１の光路は、前記ＬＥＤ側へ曲面状に膨出した前記受光領域の中心部と、前記ＬＥＤ側へ凹陥した前記対向出射領域の曲面凹状の中心部と、により形成され、前記対向出射領域の曲面凹状の中心部にて前記出射光を拡散して出射させる請求項１に記載の導光体を特徴とする。
また、請求項２の発明は、前記他の光路は、前記受光領域から入射した前記出射光の一部を前記拡散内反射領域の一部で一次内反射させて前記第１の光路よりも外径側の前記拡散光出射領域から出射させる第２の光路と、前記受光領域から入射した前記出射光の一部を前記対向出射領域の一部で一次内反射させてから前記拡散光出射領域で二次内反射させ、更に前記拡散内反射領域にて三次内反射させて前記第２の光路よりも外径側の前記拡散光出射領域から出射させる第３の光路と、から成る請求項１に記載の導光体を特徴とする。
【０００６】
また、請求項３の発明は、前記受光領域は、前記ＬＥＤ側へ膨出した膨出部と、該膨出部の外径側に位置し、且つ該膨出部を包囲するように突設された入射側壁と、を備え、前記第２の光路は、前記入射側壁から入射した光を反射する第１の一次内反射面と、前記対向出射領域よりも外径側に位置する前記拡散光出射領域と、により形成される請求項２に記載の導光体を特徴とする。
また、請求項４の発明は、前記第３の光路は、前記膨出部の中心部の外径側に位置する湾曲入射面と、前記対向出射領域の中心部よりも外径側に位置する湾曲した第２の一次内反射面と、前記拡散光出射領域に形成された二次内反射面と、前記凹凸反射面を構成する前記各突条の同じ側面に夫々形成された三次内反射面と、により形成される請求項２又は３に記載の導光体を特徴とする。
また、請求項５の発明は、前記拡散内反射領域を構成する前記凹凸面は、任意の周方向ピッチにて段差状に不連続に形成されている請求項１乃至４の何れか一項に記載の導光体を特徴とする。
また、請求項６の発明は、前記各突条の前記三次内反射面と対向する他の側面は非内反射面であり、前記ＬＥＤからの発光時に該非内反射面と対面する拡散光出射領域は陰影となる請求項４又は５に記載の導光体を特徴とする。
【０００７】
また、請求項７の発明は、複数のＬＥＤを表面に実装された基板と、請求項１乃至６の何れか一項に記載の導光体と、前記導光体に対向して該導光体からの出射光を透過させる第１のアウターレンズ及び第２にアウターレンズを備え、前記第１及び第２のアウターレンズは、前記導光体と対向する面に、前記導光体から入射する光を屈折させる凸部を備えるイルミネーションユニットを特徴とする。
また、請求項８の発明は、請求項７に記載のイルミネーションユニットにおいて、前記第１及び第２のアウターレンズに備える前記凸部は互いに交差するように設けられているイルミネーションユニットを特徴とする。
また、請求項９の発明は、請求項７又は８に記載のイルミネーションユニットを備えた遊技盤ユニットを特徴とする。
また、請求項１０の発明は、請求項９に記載の遊技盤ユニットを備えたパチンコ遊技機を特徴とする。
【発明の効果】
【０００８】
以上のように構成したので、本発明によれば、ＬＥＤ光源の点光りを極力抑制しつつ、導光部材の正面への出射光範囲を広く拡散させる演出効果を高めるようにした導光部材を提供することが出来る。
【図面の簡単な説明】
【０００９】
【図１】本発明を適用したパチンコ遊技機の遊技盤面（遊技盤ユニット）を示す正面図。
【図２】本発明を適用したパチンコ遊技機の遊技盤面（遊技盤ユニット）を示す正面図。
【図３】本発明のイルミネーションユニットを上下方向に進退させるための駆動機構を示した図。
【図４】本発明のイルミネーションユニットの外カバーを開閉させるための駆動機構を説明する図。
【図５】本発明の実施の形態に係るイルミネーションユニットを示す概略図。
【図６】図５のＡ−Ａ線における断面図。
【図７】図５のＢ−Ｂ線における断面図。
【図８】導光体８０ａの構成を説明する図。
【図９】導光体８０ａの構成を説明する図。
【図１０】導光体８０ａの構成を説明する図。
【図１１】本発明の導光体における光の経路を説明する図。
【図１２】導光体８０ａにおける発光領域と陰影領域を示す正面図。
【図１３】本発明のイルミネーションユニットにおける第１及び第２のアウターレンズを示す斜視図。
【図１４】アウターレンズを重ねた際に、イルミネーションユニットから出射される光の光路を示した図。
【図１５】アウターレンズを重ねた際に、イルミネーションユニットから出射される光の光路を示した図。
【発明を実施するための形態】
【００１０】
以下に、図面を参照して本発明の実施の形態例を詳細に説明する。
図１、図２は、本発明を適用したパチンコ遊技機の遊技盤面（遊技盤ユニット）を示す正面図である。
図１において、遊技盤１００における遊技領域１０１の周囲には、外レールＲ１及び内レールＲ２が設けられている。これら外レールＲ１及び内レールＲ２は、遊技盤１００の下方に設けた図示しない発射装置から発射された遊技球を遊技領域１０１の上部に案内したり、アウト口１１８に案内する。
遊技領域中央には、画像表示器１１１が配置されている。画像表示器１１１は、例えば、液晶表示装置等の液晶表示パネルにより構成され、特別図柄に応じた装飾図柄、例えば数字図柄、アルファベット図柄、キャラクタ図柄等の画像が表示される。また、所謂リーチ状態や特別遊技状態の時は、それぞれの遊技状態であることを示す演出画像等も表示される。
なお、画像表示器１１１の上方には、本発明の実施の形態に係る可動役物１が収容されており、パチンコ遊技機における演出にあわせて、図１に示した収容位置から、図２に示したように画像表示器１１１の正面側に突出した突出位置との間を進退する。
この可動役物１は、内部基板にＬＥＤ（Light Emission Diode）を組み込むことで発光可能とした本発明のイルミネーションユニット（以下、イルミネーションユニットと呼ぶ）である。
また、この可動役物１は、図２に示すように、画像表示器１１１の正面側（突出位置）に出現する際には、装飾部材４０が展開して後述する発光部５０の一部が露出し、ＬＥＤからの光を正面側に出射するものである。
【００１１】
画像表示器１１１の下方中央には、第１始動口１１３が配置されている。第１始動口１１３は、遊技球が入賞したときに、第１特別図柄を変動表示させる権利を発生させる。
また遊技盤１００の中央領域であって、画像表示器１１１の下方には、変動入賞装置として、左右一対の開閉爪（可動片）を有する電動式チューリップ（以下、「電チュー」と称する）１１４が配置されている。電チュー１１４は、第２始動口として機能しており、遊技球が入賞したときに、第２特別図柄を変動表示させる権利を発生させる。
電チュー１１４は、普通図柄が所定態様で停止したときに所定時間、開成動作するように構成されている。
また遊技盤１００の右側領域には、普通図柄１２３を作動させるためのゲート１１５が設けられている。
更に遊技盤１００の右側領域であって、第１始動口の右側には、特別遊技状態のときに開成状態になる大入賞装置の大入賞口１１６が配置されている。
更に、遊技盤１００の遊技領域１０１には、一般入賞口１１７が配置されていると共に、風車や図示しない多数の遊技釘が突設されている。遊技釘は、遊技球の落下速度を遅くすると共に、落下方向を複雑に変化させて遊技進行上の興趣を高めている。
【００１２】
図３は、本発明のイルミネーションユニットを上下方向に進退させるための駆動機構を示した図であり、（ａ）は収容状態を示す正面図、（ｂ）はその背面図、（ｃ）は、動作状態（突出状態）を示す正面図、（ｄ）は動作状態を示す背面図である。
図３に示すように、イルミネーションユニットの駆動機構は、図示しない支持部に固定されたモータ１０と、軸心をモータ１０の出力軸に固定された出力ギア１１と、支持部材により軸支されて出力ギア１１と噛合する従動ギア１４と、一端部１５Ａを図示しない支持部により上下方向へ回動自在に軸支されると共に他端部１５Ｂを後述するスライドギア片の上部に軸支されたアーム１５と、アームの一端部１５Ａ側に配置されてアーム１５を下向きに付勢するバネ１６と、アーム１５の他端部１５Ｂを軸支すると共に上下方向へスライド自在に支持部によって支持された縦長形状のスライドギア片１７と、スライドギア片１７の背面側に回転自在に軸支された第１ギア１８と、スライドギア片１７の背面側において第１ギア１８の下方位置に回転自在に軸支され且つ第１ギア１８と噛合する第２ギア１９と、スライドギア片１７の正面側において第２ギア１９と同軸状に一体化された第３ギア２０と、支持部の背面に上下方向に延びた状態で固定配置されて第１ギア１８と噛合する第１ラックギア２１と、イルミネーションユニット１の背面に上下方向に延びた状態で固定配置されて第３ギア２０と噛合する第２ラックギア２２と、を備える。
【００１３】
アーム１５と対向する従動ギア１４の面の偏心位置にはアーム１５に向けて図示しないピンが突設されており、このピンはアーム１５に設けた図示しない円弧状の長穴内に遊嵌する。このため、従動ギア１４が一方向へ回転する過程でピンからの駆動力を受けたアーム１５は一往復揺動する。
図３（ｄ）に示すように、モータ１０の正転・逆転によってアーム１５が上下動すると、第１ラックギア２１と噛合する第１ギア１８が回転し、その駆動が、第１ギア１８と噛合する第２ギア１９を介して裏側の第３ギア２０に伝達され、第３ギア２０と噛合する第２ラックギア２２が上下動することによりイルミネーションユニット１が上下動する。
【００１４】
図４は、本発明のイルミネーションユニットの外カバーを開閉させるための駆動機構を説明する図であり、（ａ）は外カバーが閉じた状態のイルミネーションユニット示す正面図、（ｂ）は（ａ）の場合における開閉機構の状態を示す図、（ｃ）は、外カバーが開いた状態のイルミネーションユニットを示す正面図、（ｄ）は、（ｃ）の場合における駆動機構の状態を説明する図である。
イルミネーションユニット１は、正面側に凹所３１を有したケーシング３０と、ケーシング３０の凹所３１を塞ぐように配置されて複数の分割片から構成される装飾部材４０と、ケーシング３０の凹所３１内に配置されて装飾部材４０を構成する各分割片を図４（ａ）（ｂ）の閉止状態と、（ｃ）（ｄ）の開放状態との間で進退させる開閉機構と、開閉機構と装飾部材４０との間に配置された発光部５０と、を備える。
イルミネーションユニットのケーシング３０には、図３で示した第２ラックギア２２が固定されており、イルミネーションユニット１はスライドギア片１７によって上下動自在に支持されているが回転はしない。
【００１５】
正面形状が円形の装飾部材４０は、中心点を中心とした扇形の３つの分割片４０−１、４０−２、４０−３から構成されており、各分割片は図４（ａ）（ｂ）の閉止状態と、（ｃ）（ｄ）の開放状態との間を進退する。
開閉機構は、正面形状が円形のケーシング３０の凹所３１内に固定配置されたモータ３２と、凹所底面により軸支されてモータ３２の出力軸に固定されたギア（ウォームホイール）３３と噛合する従動ギア３４と、凹所３１底面の中心部に設けた軸によって回転自在に軸支され従動ギア３４と噛合する短尺なギア部３６を外周に有した回転部材３５と、回転部材３５の外周に１２０度の間隔で外径方向へ突設され且つ円弧状の長穴３７ａを有したリンク部材３７と、凹所底面にその中心部から放射状に延びて１２０度の間隔で設けられ且つ各分割片４０−１、４０−２、４０−３の背面に突設した被ガイド部４１を内外径方向へスライド自在にガイドするガイド穴３８と、各分割片４０−１、４０−２、４０−３の背面から突設された３個のリンク部材３７の各長穴４２に嵌合するピン３７ａと、を有する。
モータ３２の正逆転によりギア３３が回転すると、短尺のギア部３６を介して回転部材３５に駆動力が伝達され、回転部材３５と一体の各リンク部材３７が正逆回動する。このため、長穴４２に遊嵌したピン３７ａが内外径方向へ移動し、各分割片４０−１、４０−２、４０−３を内外径方向へ進退させる。
【００１６】
図５は、本発明の実施の形態に係るイルミネーションユニットを示す概略図、図６は、図５のＡ−Ａ線における断面図、図７は、図５のＢ−Ｂ線における断面図である。
図５乃至図７を用いて、本発明に係るイルミネーションユニットの構成を詳細に説明する。
図２について説明したように、イルミネーションユニット１は、発光時には装飾部材４０が開閉して発光部５０の少なくとも一部が露出するようになっており、図５は、装飾部材展開時のイルミネーションユニット１を示している。
図５乃至図７に示すように、イルミネーションユニット１は、表面に家紋の造形を施した装飾部材４０（図５）と、この装飾部材４０内に収容された発光部５０を備えている。
発光部５０は、第１のアウターレンズ６０と、第１のアウターレンズ６０の内側に配置された第２のアウターレンズ７０と、第２のアウターレンズ７０の内側に離間配置されたインナーレンズ８０と、インナーレンズ８０の内側に近接配置され且つ表面に複数個のＬＥＤ９１を実装した基板９０と、を備える。
第１のアウターレンズ６０は、インナーレンズ８０の外周を支持する外周壁部６１と外周壁部から張り出したレンズ部６２と、を有する。
第２のアウターレンズ７０は、第１のアウターレンズ６０のレンズ部６２の内側に添設されたレンズ部７１を備える。
インナーレンズ８０は、各ＬＥＤ９１と対向して離間配置した複数の導光体８０ａを組み合わせて成るレンズユニットである。
なお、第１のアウターレンズ６０、第２のアウターレンズ７０は、個々のＬＥＤ９１から出射されてインナーレンズ８０により導光された光を増幅して「ギラギラ感」を出すための凹凸部を有しているが、これらのアウターレンズの特徴については後で詳述する。
【００１７】
まず、レンズユニット８０の構成について説明する。
図６、図７は、複数の導光体８０ａを含むインナーレンズ８０の断面図であるが、以下では、個々の導光体がＬＥＤ９１の出射光を導光するための構成について説明する。
図８、図９、図１０は個々の導光体８０ａの構成を説明する図であり、図８（ａ）は正面図、（ｂ）は側面図、（ｃ）は背面図である。また図９は、導光体８０ａの斜視図であり、図１０は、図８のＣ−Ｃ線における断面図である。
図１０において、導光体８０ａは、透明の樹脂からなって透光性を有し、ＬＥＤ９１からの光を透過・導光する導光部８０Ａと、導光体８０ａの基板側に形成されて、光を遮断・反射する遮光膜８０Ｂと、を有する。
導光体８０ａのＬＥＤ９１との対向部には、導光部８０Ａに光を入光させるための受光領域８１が設けられているが、当然この受光領域８１には、遮光膜８０Ｂは設けられていない。
【００１８】
また、導光体８０ａは、ＬＥＤ９１と対向し、ＬＥＤ９１側へ曲面状に膨出した膨出部８１ａと、その外周に突出して設けた入射側壁８１ｃと、を有している。ＬＥＤ９１からの出射光は、ある程度の角度範囲（例えば、１２０度程度）で拡がるため、出射光は膨出部８１ａに加え、入射側壁８１ｃからも導光体に入射する。すなわち、受光領域８１は、膨出部８１ａと、入射側壁８１ｃとからなっている。
導光部８０Ａの天面８３側には、受光領域８１と対向してＬＥＤ９１からの入射光の一部を正面に出射する対向出射領域８２が設けられている。
対向出射領域８２は、天面８３側から基板９０側に向けて凹落した凹所を有するが、これについては後で詳述する。
さらに、図８乃至図１０に示すように、導光部８０Ａの基板９０側における受光領域８１の外径側には、略同心円状に交互に連続した複数の突条（例えばＶ字突条）８４及び突条８４に挟まれた溝（例えばＶ字溝）からなる凹凸反射面８４Ａを有してＬＥＤ９１からの入射光のさらに一部を正面側に反射する拡散内反射領域８７が設けられている。
なお、天面８３の対向出射領域８２の外径側における、拡散内反射領域８７（凹凸反射面８４Ａ）と対向する箇所は、拡散内反射領域８７からの反射光を正面側に出射する拡散光出射領域８５となる。この部分は、基板９０側に向けて凹落した凹所を有する対向出射領域８２とは異なって略平坦である。
【００１９】
図１１は、本発明の導光体における光の経路を説明する図である。
図１０と併せて、本発明の導光体の特徴的な形状により実現される光路を詳細に説明する。
受光領域８１に入射する光は、以下に説明するように、主に３系統の光路を辿る。
（第１の光路）
第１の光路は、図１１（ａ）に示すように、受光領域８１における膨出部８１ａの中心部８１ｄと、ＬＥＤ９１側へ凹陥した対向出射領域８２の曲面凹状の中心部８２ａと、により形成される。
より詳しくは、ＬＥＤ９１から出射された一部の光Ａは、膨出部８１ａの曲面状の中心部（頂部）８１ｄから導光体８０ａ内に入射する。
膨出部８１ａの頂点にほぼ正面から入射する光Ａは、中心部８１ｄでは、ほとんど屈折することなく、対向出射領域８２のＬＥＤ９１側に凹落した中心部８２ａにより拡散されて出射される。
中心部８２ａは、凹陥部の頂点に当たり、ほとんど面を持たないため、中心部８２ａを通過する光は、非常に細い光となり、また拡散されることによりＬＥＤ９１の点光りを効果的に抑制することが出来る。
また、光Ａは、膨出部８１ａの中心部８１ｄに対してほぼ直角に入射するため、図１１には図示していない基板側にほとんど反射されることもない。
【００２０】
（第２の光路）
前述したように、受光領域８１は、膨出部８１ａの外径側に位置し、且つ膨出部８１ａを包囲するように突設された入射側壁８１ｃを有している。
第２の光路は、入射側壁８１ｃから入射した光を反射する拡散内反射領域８７の一部である第１の一次内反射面８７ａと、拡散光出射領域８５と、により形成される。
図１１（ｂ）に示すように、ＬＥＤ９１から出射された一部の光Ｂは、湾曲面（第２の一次内反射面）８２ｂよりも外径側且つ、膨出部８１ａを包囲するように突設された入射側壁８１ｃに向かう。
入射側壁８１ｃから導光体８０ａ内部に入射し、入射側壁８１ｃで屈折された光Ｂは、入射側壁８１ｃのさらに外径側に形成された内反射面（第１の１次内反射面）８７ａに至る。
光Ｂは、一次内反射面８７ａでさらに天面８３側に向けて反射され、拡散光出射領域８５から出射される。
光Ｂは、天面８３で殆ど反射されることなく、拡散光出射領域８５としての天面８３から正面側に出射される。
すなわち、一次内反射面８７ａは、入射側壁８１ｃから入光する光を天面８３に向けて反射させるのに十分な角度を入射側壁８１ｃに対して有しており、かつ光Ｂが天面８３で反射しない程度の角度で入射するのに十分な角度を天面８３に対して有している。
なお、第１の一次内反射面８７ａを構成する突条８４において、入射側壁８１ｃを通過する光Ｂの進行方向と対向していない面８４ｂは、光が入射・反射されることはない。
（第３の光路）
第３の光路は、受光領域８１から入射した出射光の一部を対向出射領域８２の一部で一次内反射させてから拡散光出射領域８５で二次内反射させ、更に拡散内反射領域８７の一部で三次内反射させて第２の光路よりもさらに外径側の拡散光出射領域８５から出射させる。
【００２１】
図１１（ｃ）に示すように、ＬＥＤ９１から出射された一部の光Ｃは、膨出部８１ａの中心部８１ｄの外径側に位置する湾曲入射面８１ｅから導光体８０ａに入射する。
光Ｃは、湾曲入射面８１ｅで中心部８１ｄ側に屈折した後、対向出射領域８２の湾曲面８２ｂに向かう。光Ｃは、湾曲面８２ｂにより反射され、天面８３側に進路を変えられる。
なお、湾曲入射面８１ｅで湾曲面８２ｂに向けて屈折された光Ｃは、湾曲面８２ｂに入射するが、ここで、光Ｃは屈折して湾曲面８２ｂから出射されることはない。
これは、湾曲面８２ｂが、湾曲入射面８１ｅから入射してくる光Ｃに対しては臨界角（屈折が起こる最大の入射角）よりも大きな角度となるように形成されているためである。
湾曲面８２ｂで反射された光Ｃは、二次内反射面８５ａとしての天面８３で、さらに拡散内反射領域８７に向けて反射される。
ここで、湾曲面８２ｂの天面８３に対する角度は、湾曲面８２ｂで反射した光Ｃが、天面８３を透過しない程度の角度で天面８３に入射する角度とする。
三次内反射面８７ｂを構成する突条８４において、導光体８０ａの外周側を向いた面８４ｂは、天面８３で反射される光の進行方向と対向していないため、光が入射・反射されることはない。
【００２２】
図１２は、導光体８０ａにおける発光領域と陰影領域を示す正面図である。
図１２において、対向出射領域８２の中心部８２ａからは、図１１における光Ａによる拡散した弱い発光が生じている。
さらに、拡散内反射領域８７における面８４ａからは、図１１における光Ｂ、Ｃが出射するため該当箇所が発光するが、逆に、上述のように光Ｂ、Ｃが入射・反射されない面８４ｂについては陰影が生じている。
また、拡散内反射領域８７と、入射側壁８１ｃの間の底面８８（図１０）にも光が入射しないため陰影が生じる。
このように、上述したような形状を有する本発明の導光体８０ａによっては、ＬＥＤ９１による点光りを抑制しつつ、さらに、全体的に光を拡散させた面発光を実現することが出来る。
【００２３】
また、パチンコ遊技機に実装するために小型化・薄型化の要請がある上、導光体に厚みを取ることが難しい。
本発明の導光体によれば、光を複雑に内反射させることで、導光体自体を薄く保ったまま広い範囲で面発光をさせることが出来る。また、用いるＬＥＤの数も少なくすることが出来る。
さらに図８、図１２に示すように、突条８４のパターンを完全な同心円とせず、例えば突条８４が任意の周方向ピッチにて段差状に不連続なパターンとし、さらに、例えば３０度刻みでパターンを変えている。
同心円とすると、突条８４のパターン、即ち、面８４ａ、面８４ｂの光と影のパターンがリング状になり、これはパチンコ遊技機の演出上向かない場合がある。
本発明の導光体８０ａのように、突条を不連続に設けて光と影の部分が交互にずれて現れるようにしたことで、陰影がまばらになる。
【００２４】
このようにすることで、拡散出射領域からの発光をよりフラットな面として遊戯者に認識させることが出来る。
突条８４のパターンを連続なパターンの同心円とすると、光と影のパターンがリング状になり、リング同士の境界線がはっきりする。そうすると、発光パターンには明確な個性やキャラクタ性が発生する。
キャラクタ性の強い発光パターンは、遊戯者の注意を過剰に惹きつけ、パチンコ遊技機における他の演出の効果を低減させる虞があり、本発明では、拡散出射領域からの発光をよりキャラクタ性の薄いフラットな面として遊戯者に認識させることで、かかる問題を回避するようにしている。
【００２５】
図１３は、本発明のイルミネーションユニットにおける第１及び第２のアウターレンズを示す斜視図であり、（ａ）は第１のアウターレンズの斜視図、（ｂ）は第２のアウターレンズを斜視図である。
図１３では、第１及び第２のアウターレンズ６０、７０をインナーレンズ８０側から見た構造を示しており、第１のアウターレンズ６０及び第２のアウターレンズ７０は、それぞれインナーレンズ８０に向けて突出したローレット（凸部）６３、７２を有している。
なお、図１３から分かるように、第１のアウターレンズ６０のローレット６３は同心円状、第２のアウターレンズ７０のローレット７２は、中心から放射状に拡がる形状を有している。
従って、図６、図７におけるように両アウターレンズ６０、７０を重ね合わせた際には、各ローレット６３、７２は交差することになる。
【００２６】
図１４、図１５はインナーレンズ８０にアウターレンズ６０、７０を重ねた際に、イルミネーションユニット１から出射される光の光路を示した図である。
インナーレンズ８０から出射されて両アウターレンズ６０、７０を通過する光は、ローレット６３、７２で屈折されるが、各ローレット６３、７２が交差していることで、各出射光の屈折の方向が異なり、面光りに均一感を持たせることが出来る。
すなわち、インナーレンズ８０から出射された光は、両アウターレンズ６０、７０を通過する際に、
（１）アウターレンズ７０のローレット７２で屈折されて出射され、さらにアウターレンズ６０のローレット６３でさらに屈折されて出射される経路
（２）アウターレンズ７０のローレット７２で屈折されて出射され、さらにアウターレンズ６０のローレット６３が形成されない平坦面に入射、出射される経路（図１４の場合）（３）アウターレンズ７０のローレットが形成されない平坦面でほとんど屈折されずに出射され、さらにアウターレンズ７０のローレット６３で屈折されて出射される経路（図１５の場合）
（４）アウターレンズ７０のローレットが形成されない平坦面でほとんど屈折されずに出射され、アウターレンズ６０のローレット６３が形成されない平坦面に入射して出射される経路
の４通りの経路を辿ることになる。
この場合、それぞれの経路からの出射光がアウターレンズ６０から出射される際の屈折の度合いが異なるため、インナーレンズ８０（導光体８０ａ）における光と陰影の差がより強調されて、面発光の「ぎらぎら」感が増すという効果もある。
【００２７】
また、図１０に示す対向出射領域８２の中心部８２ａからの光Ａも、アウターレンズ６０、７０を通過することでより拡散されるため、光Ａの点光りをより効果的に抑制することが出来る。
また、装飾部材４０を開閉する際に第２のアウターレンズ７０を回転させることで、イルミネーションユニット１の発光に変化を持たせることも出来る。
なお、本実施形態では、第１のアウターレンズ６０に同心円状のローレット、第２のアウターレンズ７０に放射状のローレットを設けたが、これに限定されるものではない。
例えば、各アウターレンズとローレット形状の組み合わせを逆にしても良いし、また、ローレット同士が交差するものであれば、その他の形状を採用するようにしてもよい。
【符号の説明】
【００２８】
１  イルミネーションユニット、１０  モータ、１１  出力ギア、１４  従動ギア、１５  アーム、１６  バネ、１７  スライドギア片、１８  ギア、１９  ギア、２０  ギア、２１  ラックギア、２２  ラックギア、３０  ケーシング、３１  凹所、３２  モータ、３３  ギア、３４  従動ギア、３５  回転部材、３６  ギア部、３７  リンク部材、３８  ガイド穴、４０  装飾部材、４１  被ガイド部、４２  長穴、５０  発光部、６０  アウターレンズ、６１  外周壁部、６２  レンズ部、６３  ローレット、７０  アウターレンズ、７１  レンズ部、７２  ローレット、８０  インナーレンズ、８０Ａ  導光部、８０Ｂ  遮光膜、８０ａ  導光体、８１  受光領域、８１ａ  膨出部、８１ｃ  入射側壁、８１ｄ  中心部、８１ｅ  湾曲入射面、８２  対向出射領域、８２ａ  対向出射領域、８２ａ  中心部、８２ｂ  湾曲面、８３  天面、８４  突条、８４Ａ  凹凸反射面、８４ａ  面、８４ｂ  面、８５  拡散光出射領域、８５ａ  二次内反射面、８７  拡散内反射領域、８７ａ  一次内反射面、８７ｂ  三次内反射面、８８  底面、９０  基板、９１  ＬＥＤ、１００  遊技盤、１０１  遊技領域、１１１  画像表示器、１１３  始動口、１１４  電チュー、１１５  ゲート、１１６  大入賞口、１１７  一般入賞口、１１８  アウト口、１２３  普通図柄
【図１】
2011240030.tif 000003
【図２】
2011240030.tif 000004
【図３】
2011240030.tif 000005
【図４】
2011240030.tif 000006
【図５】
2011240030.tif 000007
【図６】
2011240030.tif 000008
【図７】
2011240030.tif 000009
【図８】
2011240030.tif 000010
【図９】
2011240030.tif 000011
【図１０】
2011240030.tif 000012
【図１１】
2011240030.tif 000013
【図１２】
2011240030.tif 000014
【図１３】
2011240030.tif 000015
【図１４】
2011240030.tif 000016
【図１５】
2011240030.tif 000017